(57)【特許請求の範囲】
【請求項１】
一対の望遠光学系を備え、前記一対の望遠光学系のそれぞれにおいて、対物光学系は単一の支持部材により固定的に支持され、接眼光学系の接眼系光軸が前記対物光学系の対物系光軸と所定の距離をおいて平行となり、かつ前記接眼光学系が前記対物系光軸を中心として揺動可能となるよう、前記接眼光学系を保持する接眼光学系保持部を有する接眼ユニットが前記単一の支持部材により回転可能に支持される二軸連動式双眼鏡において、
前記一対の望遠光学系のそれぞれの前記接眼光学系保持部を連結する連結部材と、
前記連結部材を前記接眼系光軸と平行な方向に駆動する駆動部材とを備え、
前記単一の支持部材は、前記一対の望遠光学系のそれぞれの前記対物光学系を支持する対物光学系支持部と、前記一対の望遠光学系のそれぞれの前記接眼光学系を支持する接眼光学系支持部と、前記対物光学系支持部と前記接眼光学系支持部とを一体的に連結する光学系支持部連結部とを有し、
前記駆動部材は前記接眼光学系支持部に支持されることを特徴とする双眼鏡の合焦装置。
【請求項２】
前記駆動部材は、
前記連結部材に螺合し、前記接眼系光軸に平行な軸線を回転中心として回転可能であり、かつ前記軸線に平行な方向において固定された駆動軸と、
前記駆動軸の回転運動が前記連結部材に伝達されるのを防止する回転防止部材とを備えることを特徴とする請求項１に記載の双眼鏡の合焦装置。
【請求項３】
前記回転防止部材は、長手方向が前記駆動軸と平行に延び、前記連結部材を挿通する柱状部材であり、前記連結部材の前記接眼系光軸と平行な方向における移動を案内することを特徴とする請求項２に記載の双眼鏡の合焦装置。
【請求項４】
前記連結部材は、
前記回転防止部材を支持する回転防止部材支持部と、
前記駆動軸が螺合する駆動軸支持部と、
前記一対の望遠光学系のそれぞれの前記接眼光学系保持部を支持する一対の光学系支持部と、
前記回転防止部材支持部と前記一対の光学系支持部の一方を連結する第１の連結部と、
前記回転防止部材支持部と前記一対の光学系支持部の他方を連結する第２の連結部と、
前記駆動軸支持部と前記回転防止部材支持部を連結する第３の連結部とを備えることを特徴とする請求項３に記載の双眼鏡の合焦装置。
【請求項５】
前記連結部材において、前記第３の連結部の長手方向に沿った長さは前記第１の連結部及び前記第２の連結部の長手方向に沿った長さよりも短いことを特徴とする請求項４に記載の双眼鏡の合焦装置。
【請求項６】
前記連結部材において、前記第３の連結部の長手方向に沿った長さは前記第１の連結部及び前記第２の連結部の長手方向に沿った長さよりも長いことを特徴とする請求項４に記載の双眼鏡の合焦装置。
【請求項７】
前記駆動軸及び前記回転防止部材は前記接眼光学系支持部に設けられた軸受けにそれぞれ支持されていることを特徴とする請求項２に記載の双眼鏡の合焦装置。
【請求項８】
前記一対の望遠光学系のそれぞれにおいて、前記対物光学系と像反転光学系との間に、可動光学系が配設されていることを特徴とする請求項１に記載の双眼鏡の合焦装置。
【請求項９】
前記可動光学系は像振れ補正のための補正光学系であり、前記対物光学系と前記像反転光学系との間に、前記補正光学系を駆動する駆動機構が設けられていることを特徴とする請求項８に記載の双眼鏡の合焦装置。
【発明の詳細な説明】
【０００１】
【発明の属する技術分野】
本発明は、二軸連動式双眼鏡の合焦装置に関する。
【０００２】
【従来の技術】
従来、双眼鏡には眼幅調整機能が備えられている。眼幅調整機能とは使用者の両目の幅に合わせて一対の接眼光学系の光軸間の距離を調整する機能である。眼幅調整機能を備えた双眼鏡として二軸連動式のタイプのものが知られている。二軸連動式双眼鏡において、一対の接眼光学系をそれぞれ対応する対物光学系の光軸を回転中心として連動して揺動させることにより、一対の接眼光学系の光軸間の距離が調整される。
【０００３】
一方、双眼鏡は、被観察体の距離に合わせて一対の対物光学系により形成される被観察体像を接眼光学系と合焦させるため、それぞれの望遠光学系を構成する光学系の一部が光軸に沿って移動可能となっている。上述のような二軸連動式双眼鏡においては、接眼光学系は眼幅調整のため揺動可能なよう保持されるため、対物光学系をその光軸に沿って移動することにより合焦動作を行なうのが一般的である。
【０００４】
【発明が解決しようとする課題】
ところで、このような二軸連動式双眼鏡にズーム機能や像振れ補正機能を付加する場合、対物光学系の近傍に変倍光学系や像振れのための補正光学系を一体的に配設すれば、部品の共用化や設計上の省スペース化等が図られ大きな利点がある。しかしながら、上述のように対物光学系の近傍には対物光学系を合焦動作のため移動可能に支持する機構が設けられており、付加機能のための光学系を一体的に設けるのは困難である。その結果、ズーム機能や像振れ補正機能等を付加すると双眼鏡全体が大型化するという問題があった。
【０００５】
本発明は、以上の問題を解決するものであり、様々な機種に応用可能な二軸連動式双眼鏡の合焦装置を提供することを目的としている。
【０００６】
【課題を解決するための手段】
本発明にかかる双眼鏡の合焦装置は、一対の望遠光学系を備え、一対の望遠光学系のそれぞれにおいて、対物光学系は単一の支持部材により固定的に支持され、接眼光学系の接眼系光軸が対物光学系の対物系光軸と所定の距離をおいて平行となり、かつ接眼光学系が対物系光軸を中心として揺動可能となるよう、接眼光学系を保持する接眼光学系保持部を有する接眼ユニットが支持部材により回転可能に支持される二軸連動式双眼鏡において、一対の望遠光学系のそれぞれの接眼光学系保持部を連結する連結部材と、連結部材を接眼系光軸と平行な方向に駆動する駆動部材とを備え、単一の支持部材は、一対の望遠光学系のそれぞれの対物光学系を支持する対物光学系支持部と、一対の望遠光学系のそれぞれの接眼光学系を支持する接眼光学系支持部と、対物光学系支持部と接眼光学系支持部とを一体的に連結する光学系支持部連結部とを有し、駆動部材は接眼光学系支持部に支持されることを特徴とする。
【０００７】
好ましくは、駆動部材は連結部材に螺合し、接眼系光軸に平行な軸線を回転中心として回転可能であり、かつ軸線に平行な方向において固定された駆動軸と、駆動軸の回転運動が連結部材に伝達されるのを防止する回転防止部材とを備える。
【０００８】
好ましくは、回転防止部材は長手方向が駆動軸と平行に延び、連結部材を挿通する柱状部材であり、連結部材の接眼系光軸と平行な方向における移動を案内する。
【０００９】
好ましくは、連結部材は、回転防止部材を支持する回転防止部材支持部と、駆動軸が螺合する駆動軸支持部と、一対の望遠光学系のそれぞれの接眼光学系保持部を支持する一対の光学系支持部と、回転防止部材支持部と一対の光学系支持部の一方を連結する第１の連結部と、回転防止部材支持部と一対の光学系支持部の他方を連結する第２の連結部と、駆動軸支持部と回転防止部材支持部を連結する第３の連結部とを備える。
【００１０】
連結部材において、第３の連結部の長手方向に沿った長さは例えば、第１の連結部及び第２の連結部の長手方向に沿った長さよりも短く、若しくは第１の連結部及び第２の連結部の長手方向に沿った長さよりも長い。
【００１１】
好ましくは、駆動軸及び回転防止部材は接眼光学系支持部に設けられた軸受けにそれぞれ支持されている。
【００１２】
好ましくは、一対の望遠光学系のそれぞれにおいて、対物光学系と像反転光学系との間に、可動光学系が配設されており、可動光学系は例えば像振れ補正のための補正光学系であり、対物光学系と前記像反転光学系との間には補正光学系を駆動する駆動機構が設けられている。
【００１３】
本発明において、接眼光学系を対応する対物光学系の光軸回りに揺動可能に支持する部分と接眼光学系をその光軸に沿って摺動可能に支持する部分とを単一の連結部材で連結している。従って、一対の接眼光学系をそれぞれ対応する対物光学系の光軸回りに揺動する二軸式の眼幅調整が可能となると共に、接眼光学系を駆動することによる合焦動作が可能となる。
【００１４】
本発明によれば、一対の接眼光学系を移動することにより合焦動作が行われるため、相対的に質量の大きい対物光学系を移動する場合に比べ、合焦機構の小型化が図られる。
【００１５】
連結部材において、第３の連結部の長手方向に沿った長さを第１の連結部及び第２の連結部の長手方向に沿った長さよりも短く形成した場合は、回転防止部材支持部の下方、即ち第２の連結部と第３の連結部に挟まれた部分に十分なスペースが確保される。従って、双眼鏡の他の部材の配設が可能であり、双眼鏡全体の小型化が図られる。
【００１６】
連結部材において、第３の連結部の長手方向に沿った長さを第１の連結部及び第２の連結部の長手方向に沿った長さよりも長く形成した場合は、駆動軸と回転防止部材との距離が十分設けられているので、合焦動作のため連結部材を接眼系光軸に沿って移動させる場合、回転防止部材により、より安定して案内される。
【００１７】
【発明の実施の形態】
以下、本発明の実施の形態を図面を参照して説明する。
尚、本明細書において「縦」とは平行に延びる２つの光軸を含む平面と直交する方向、即ち図１の紙面に直交する方向であり、「横」とは平行に延びる２つの光軸を含む平面と平行かつその２つの光軸と直交する軸と平行となる方向、即ち図１において水平方向である。
【００１８】
図１は、本発明に係る実施形態が適用される双眼鏡１をその一対の光軸を含む面と平行な面で切断した一部断面図であり、図２は図１を側面から示す一部断面図である。尚、図１及び２において構成を明示するため一部の部材は省略され、また一部の部材は透視的に示されている。
【００１９】
一対の対物レンズ１０Ｌ、１０Ｒを通過した光束は、補正レンズ２０Ｌ、２０Ｒを介して一対の像反転光学系３０Ｌ、３０Ｒに導かれる。像反転光学系３０Ｌ、３０Ｒを通過した光束は、一対の接眼レンズ群４０Ｌ、４０Ｒに導かれる。即ち、左望遠光学系は対物レンズ１０Ｌ、補正レンズ２０Ｌ、像反転光学系３０Ｌ、接眼レンズ群４０Ｌを備え、右望遠光学系は対物レンズ１０Ｒ、補正レンズ２０Ｒ、像反転光学系３０Ｒ、接眼レンズ群４０Ｒを備える。Ｏｌは対物レンズ１０Ｌの光軸、Ｏｒは対物レンズ１０Ｒの光軸を示し、Ｏｌ’は接眼レンズ群４０Ｌの光軸、Ｏｒ’は接眼レンズ群４０Ｒの光軸を示している。
【００２０】
一対の対物レンズ１０Ｌ、１０Ｒはそれぞれ対物レンズ鏡筒１１Ｌ、１１Ｒに保持され、一対の補正レンズ２０Ｌ、２０Ｒは像振れ補正装置２０の単一の補正レンズ保持枠２００に保持されている。尚、像振れ補正装置２０とは、双眼鏡１の使用時において使用者の手振れ等により発生する左右の望遠光学系の光軸のぶれを補正するためのものである。以上のように、補正レンズ２０Ｌ、２０Ｒ及び後述するこれらの補正レンズの駆動機構を備えた像振れ補正装置２０は、対物レンズ１０Ｌ、１０Ｒと像反転光学系３０Ｌ、３０Ｒとの間に設けられている。
【００２１】
接眼ユニット３１Ｌはプリズム枠３２Ｌと接眼レンズ枠３３Ｌを備えている。プリズム枠３２Ｌ内には、２個の直角プリズムからなり正立像を作るポロプリズムである像反転光学系３０Ｌが配設される。接眼レンズ群４０Ｌは接眼レンズ鏡筒４１Ｌに保持され、接眼レンズ鏡筒４１Ｌは保持具４２Ｌを介して接眼レンズ枠３３Ｌに取り付けられている。保持具４２Ｌは接眼レンズ枠３３Ｌにより光軸Ｏｌ’に沿って摺動可能に支持されている。また、プリズム枠３２Ｌと接眼レンズ枠３３Ｌの連結部分にはプリズム枠３２Ｌ側に向かって延びる円筒形の接眼鏡筒支持枠３４Ｌが形成されている。接眼鏡筒支持枠３４Ｌは接眼レンズ鏡筒４１Ｌにおいて双眼鏡内部側に位置決めされる端部を摺動可能に支持しており、保持具４２Ｌの光軸Ｏｌ’に沿った運動を案内する。
【００２２】
同様に、接眼ユニット３１Ｒはプリズム枠３２Ｒと接眼レンズ枠３３Ｒを備え、プリズム枠３２Ｒ内には、像反転光学系３０Ｌと同様の像反転光学系３０Ｒが配設される。接眼レンズ群４０Ｒは接眼レンズ鏡筒４１Ｒに保持され、接眼レンズ鏡筒４１Ｒは保持具４２Ｒを介して接眼レンズ枠３３Ｒに取り付けられている。保持具４２Ｒは接眼レンズ枠３３Ｒにより光軸Ｏｒ’に沿って摺動可能に支持されている。また、プリズム枠３２Ｒと接眼レンズ枠３３Ｒの連結部分にはプリズム枠３２Ｒ側に向かって延びる円筒形の接眼鏡筒支持枠３４Ｒが形成されている。接眼鏡筒支持枠３４Ｒは接眼レンズ鏡筒４１Ｒにおいて双眼鏡内部に配設される側の端部を摺動可能に支持しており、保持具４２Ｒの光軸Ｏｒ’に沿った運動を案内する。
【００２３】
プリズム枠３２Ｌにおいて補正レンズ２０Ｌ側には、補正レンズ２０Ｌ側に向かって延びる円筒形の取付枠３５Ｌが形成され、プリズム枠３２Ｒにおいて補正レンズ２０Ｒ側には、補正レンズ２０Ｒ側に向かって延びる円筒形の取付枠３５Ｒが形成されている。
【００２４】
プリズム枠３２Ｌ、３２Ｒの間には円柱形の転輪５０が配設されている。転輪５０は、その軸心が光軸Ｏｌ、Ｏｒ、Ｏｌ’、Ｏｒ’と平行となるよう位置決めされている。転輪５０の軸心には転輪軸５１が固定されており、転輪５０の回転に伴い転輪軸５１も回転する。柱状部材のガイド棒６０は、軸心方向が光軸Ｏｌ’、Ｏｒ’と平行な方向に沿うよう、即ち転輪軸５１と平行に、かつ転輪軸５１に対して双眼鏡１の使用時における底面側に配設されている（図２参照）。
【００２５】
転輪軸５１の対物レンズ１０Ｌ、１０Ｒ側に位置決めされる端部は取付台１００の支持穴１０２Ａに支持されている。転輪軸５１の接眼レンズ群４０Ｌ、４０Ｒ側に位置決めされる端部は補強板７０にビス７１により固定されている。補強板７０は長手方向が光軸Ｏｌ’、Ｏｒ’を含む面に直交するよう位置決めされた板状部材である。ガイド棒６０の対物レンズ１０Ｌ、１０Ｒ側に位置決めされる端部は取付台１００の支持穴１０２Ｂに支持されている。補強板７０において、転輪軸５１が固定されている端部と反対側の端部には、ガイド棒６０において接眼レンズ群４０Ｌ、４０Ｒ側に位置決めされる端部がビス７２により固定されている。即ち、転輪軸５１及びガイド棒６０は、対物レンズ１０Ｌ、１０Ｒ側の端部はそれぞれ取付台１００の支持穴１０２Ａ、１０２Ｂに支持され、接眼レンズ群４０Ｌ、４０Ｒ側の端部は補強板７０に支持されている。尚、取付台１００における転輪軸５１及びガイド棒６０の支持構造の詳細は後述する。
【００２６】
図３は、取付台１００を対物レンズ鏡筒１１Ｒ、１１Ｌが取り付けられる側から示す斜視図である。取付台１００は、対物レンズ鏡筒１１Ｒ、１１Ｌを支持するための対物側保持部１０１（対物光学系保持部）と、接眼ユニット３１Ｌ、３１Ｒを支持するための接眼側保持部１０２（揺動部材保持部）、及び対物側保持部１０１と接眼側保持部１０２を接続する連結部１０３とを備えている。対物側保持部１０１、接眼側保持部１０２、及び連結部１０３はそれぞれ板状であり、一体的に形成されている。また、対物側保持部１０１、接眼側保持部１０２は互いに平行となるよう設けられ、連結部１０３は対物側保持部１０１及び接眼側保持部１０２に直交するよう設けられている。即ち、取付台１００は光軸Ｏｌ及びＯｒを含む面に直交する面で切断した断面形状がコの字型を有した板状部材である（図２参照）。
【００２７】
対物側保持部１０１の上辺部の中央部分及び下辺部の中央部分において、対物側保持部１０１の中心に向かって三角状に切り欠かれた切り欠き部１０１Ｕ、１０１Ｂがそれぞれ形成されている。切り欠き部１０１Ｕ及び１０１Ｂを挟んで左右対称な位置に、円形の取付穴１０１Ｌ、１０１Ｒが穿設されている。取付穴１０１Ｌには対物レンズ鏡筒１１Ｌが、取付穴１０１Ｒには対物レンズ鏡筒１１Ｒが固定される。
【００２８】
接眼側保持部１０２の上辺部の中央部分には連結部１０３と反対側に向かって延びる三角状の転輪軸支持部１０２Ｕが一体的に形成されている。転輪軸支持部１０２Ｕの頂点を通り連結部１０３に直交する方向に延びる軸線が接眼側保持部１０２の中心を通るよう、転輪軸支持部１０２Ｕは位置決めされている。この転輪軸１０２Ｕの頂点を通る軸線を挟んで左右対称な位置に、円形の取付穴１０２Ｌ、１０２Ｒが穿設されている。取付穴１０２Ｌには接眼ユニット３１Ｌの取付枠３５Ｌが回転可能に嵌合し、取付穴１０２Ｒには接眼ユニット３１Ｒの取付枠３５Ｒが回転可能に嵌合する。
【００２９】
また、上述の転輪軸５１を支持する支持穴１０２Ａは転輪軸支持部１０２Ｕの頂点近傍に穿設され、ガイド棒６０を支持する支持穴１０２Ｂは転輪軸支持部１０２Ｕの底辺近傍に穿設されている。支持穴１０２Ａ及び支持穴１０２Ｂは、それぞれの中心を結ぶ線が連結部１０３に直交するよう位置決めされている。
【００３０】
図４は取付台１００を対物側保持部１０１の側から示す正面図である。取付穴１０１Ｌの径ＲＬ１は取付穴１０２Ｌの径ＲＬ２より大きく、取付穴１０１Ｌの中心と取付穴１０２Ｌの中心は一致している。同様に、取付穴１０１Ｒの径ＲＲ１は取付穴１０２Ｒの径ＲＲ２より大きく、取付穴１０１Ｒの中心と取付穴１０２Ｒの中心は一致している。上述のように、対物側保持部１０１及び接眼側保持部１０２は互いに平行である。即ち、円形の開口部である取付穴１０１Ｌの幾何学的重心を通り対物側保持部１０１に直交する軸芯線ＣＬ１と円形の開口部である取付穴１０２Ｌの幾何学的重心を通り接眼側保持部１０２に直交する軸芯線ＣＬ２が一致し、円形の開口部である取付穴１０１Ｒの幾何学的重心を通り対物側保持部１０１に直交する軸芯線ＣＲ１と円形の開口部である取付穴１０２Ｒの幾何学的重心を通り接眼側保持部１０２に直交する軸芯線ＣＲ２が一致するよう、取付穴１０１Ｌ、１０１Ｒ、１０２Ｌ、及び１０２Ｒは形成されている。
【００３１】
接眼ユニット３１Ｌ、３１Ｒは以下のように取付台１００に取り付けられる。接眼ユニット３１Ｌの取付枠３５Ｌの外周面にはネジ山が刻設されており、取付枠３５Ｌの端部にはナット９１が締め付けられている（図１参照）。ナット９１と接眼側保持部１０２の対物側の表面の間にはにワッシャ９２が配設されている。従って、取付枠３５Ｌは光軸Ｏｌを回転中心として回転可能であると共に、接眼ユニット３１Ｌ全体の光軸Ｏｌに沿った方向への移動が防止される。同様に、取付枠３５Ｒの外周面にはネジ山が刻設されており、取付枠３５Ｒの端部にはナット９３が締め付けられており、ナット９３と接眼側保持部１０２の対物側の表面の間にはワッシャ９４が配設されている。従って、取付枠３５Ｒは光軸Ｏｒを回転中心として回転可能であると共に、接眼ユニット３１Ｒ全体の光軸Ｏｒに沿った方向への移動が防止される。
【００３２】
尚、ナット９１及び９３の外周面にはセットビス（図示せず）が設けられており、それぞれナット９１、９３を光軸Ｏｌ、Ｏｒに沿った方向において固定している。従って、ナット９１と取付枠３５Ｌ、及びナット９３と取付枠３５Ｒの螺合状態が保持される。
【００３３】
また、転輪軸５１及びガイド棒６０は以下のように取付台１００に取り付けられる。円筒形のホルダ５２は、大径部５２Ａと小径部５２Ｂを備えている（図１、２参照）。小径部５２Ｂにはネジ山が刻設されており、取付台１００の支持穴１０２Ａの内壁面に形成された雌ネジに螺合している。大径部５２Ａにおいて小径部５２Ｂが設けられた側の表面は、取付台１００の接眼側保持部１０２の接眼側の表面に当接している。即ち、ホルダ５２は支持穴１０２Ａに固定されている。ホルダ５２の内部には大径部５２Ａ、小径部５２Ｂを挿通する軸受け５２Ｃが穿設されており、軸受け５２Ｃには転輪軸５１が軸心を回転中心として回転可能に挿通している。
【００３４】
転輪軸５１において対物レンズ１０Ｌ、１０Ｒ側に位置決めされる端部の径は胴体部分に比べ小さくなるよう成型され、その外周面にはネジ山が刻設されている。この端部にはナット５３が締め付けられ、転輪軸５１において端部より大径の胴体部分とナット５３との間にはワッシャ５４が配設されている。従って、転輪軸５１は軸心を回転中心として回転可能であり、かつ軸心に沿った方向においては固定されている。
【００３５】
ガイド棒６０において対物レンズ１０Ｌ、１０Ｒ側に位置決めされる端部の径は他の胴体部分より小さくなるよう成型されており、その外周面にはネジ山が刻設されている。この端部は上述の取付台１００の接眼側保持部１０２の転輪軸支持部１０２Ｕに穿設された支持穴１０２Ｂを挿通している。また、端部より大径の胴体部分において光軸Ｏｒに直交する面と平行な表面は、取付台１００の接眼側保持部１０２の接眼側の表面に当接している。この状態で、ガイド棒６０の端部にはボルト６１が締め付けられており、ガイド棒６０は支持穴１０２Ｂに固定されている。
【００３６】
以上のように、転輪軸５１及びガイド棒６０は、それぞれの軸心方向において、即ち光軸Ｏｌ’、Ｏｒ’と平行な方向において移動しないよう、対物レンズ１０Ｌ、１０Ｒ側に位置決めされた端部は取付台１００の支持穴１０２Ａ、１０２Ｂに固定され、接眼レンズ群４０Ｌ、４０Ｒ側に位置決めされた端部は補強板７０に固定されている。
【００３７】
ここで、取付穴１０１Ｌ、１０１Ｒ、１０２Ｌ、及び１０２Ｒの穿設方法について説明する。図５は取付台１００と同一の形状を有する加工体１００’が旋盤１５０にセットされた状態を概略的に示す図である。旋盤１５０の本体１５１上には往復台１５２が配設される。往復台１５２には刃１５３が取り付けられている。チャック１５４は本体１５１内部に設けられたスピンドル（図示せず）に同軸的に固定されており、スピンドルの回転と共にスピンドルの軸心αを回転中心として回転する。治具１５５はチャック１５４に固定される一方、加工体１００’がセットされる。従って、加工体１００’は、チャック１５４の回転に応じて治具１５５を介して軸心αを回転中心として回転する。加工体１００’は、対物側保持部１０１及び接眼側保持部１０２に相当する面１０１’及び１０２’が軸線αに直交するよう治具１５５にセットされる。
【００３８】
軸心αに直交する面上における刃１５３の刃先と軸心αの距離が取付穴１０１Ｌの半径ＲＬ１（図４参照）と一致するよう、刃１５３を位置決めする。加工体１００’を治具１５５にセットした状態でスピンドルを高速回転させながら往復台１５２をＸ方向に移動させ、刃１５３を面１０１’に接触させる。その結果、面１０１’に取付穴１０１Ｌと同一の径を有する穴が穿設される。次いで、そのままの状態で、即ちチャック１５４と治具１５５を同様に固定したまま、上述の刃１５３の刃先と軸心αの距離が取付穴１０２Ｌの半径ＲＬ２（図４参照）に一致するよう刃１５３の位置を調節し、スピンドルを高速回転させながら往復台１５２をさらにＸ方向へ移動させ、刃１５３を面１０２’に接触させる。その結果、面１０２’に取付穴１０２Ｌと同一の径を有する穴が形成される。
【００３９】
面１０１’、１０２’にそれぞれ取付穴１０１Ｌ、１０２Ｌに相当する穴が形成されたら、スピンドルの回転を停止し、往復台１５２を元の位置に戻す。面１０１’、１０２’において穴が形成されていない部分にスピンドルの軸心αが直交するよう加工体１００’を治具１５５にセットし直し、上述の工程を繰り返す。その結果、面１０１’に取付穴１０１Ｒと同一の径を有する穴が穿設され、面１０２’に取付穴１０２Ｒと同一の径を有する穴が形成される。
【００４０】
上述のように、面１０１’への加工終了後、チャック１５４や治具１５５を取り外すことなく面１０２’への加工を行なう。その結果、面１０１’への加工及び面１０２’への加工は、いずれも同一の軸心αを中心として加工体１００’を回転させながら行われる。従って、面１０１’及び面１０２’において、面１０１’、１０２’に直交する加工体１００’の中心線に対して同じ側にそれぞれ形成される穴の中心は一致している。以上のような手順で加工体１０１’に穴を穿設することにより図３及び４に示す取付台１００が得られる。
【００４１】
尚、面１０１’に形成される２つの穴の相対的位置が、取付台１００の対物側保持部１０１における取付穴１０１Ｌ、１０１Ｒの相対的位置と同一であり、かつ面１０２’に形成される２つの穴の相対的位置が、接眼側保持部１０２における取付穴１０２Ｌ、１０２Ｒの相対的位置と同一となるよう、往復台１５２の図５の紙面直交方向の位置は適宜調整される。
【００４２】
上述の加工では、先ず面１０１’に穴を穿設し次いで面１０２’に穴を穿設する工程がとられているがこれに限るものではない。例えば、面１０２’に穴を穿設してから面１０１’に穴を穿設するという手順で加工を行なってもよい。
【００４３】
図６及び７は本実施形態における像振れ補正装置２０の要部を示す正面図であり、図６は取付台１００の接眼側保持部１０２から見た図、図７は対物側保持部１０１から見た図である。
補正レンズ保持枠２００は、縦方向駆動枠２０１と横方向駆動枠２０２を有している。縦方向駆動枠２０１は略長方形の平板であり開口部を有するドーナツ形状である。縦方向駆動枠２０１の開口部は、内壁面２０１Ａ及び２０１Ｂが横方向と平行となるよう形成されている。縦方向駆動枠２０１の開口部には横方向駆動枠２０２が配設される。横方向駆動枠２０２は、それぞれ同一の質量、形状を有する補正レンズ２０Ｌ、２０Ｒを一体的に保持する長方形板状部材である。縦方向駆動枠２０１及び横方向駆動枠２０２は、補正レンズ２０Ｌ、２０Ｒの光軸に沿った方向の厚みが同一になるよう成型されている（図１、２参照）。
【００４４】
駆動補助板２１０は、長手方向が縦方向に延びる板状部材であり、取付台１００の連結部１０３にビス２１１により固定される（図２参照）。補正レンズ保持枠２００の略中央部分、即ち補正レンズ２０Ｌ、２０Ｒの間に相当する部分に駆動補助板２１０が位置するよう、補正レンズ保持枠２００と駆動補助板２１０は双眼鏡１の内部において位置決めされる。
【００４５】
駆動補助板２１０において、縦方向駆動枠２０１の上端部２０１Ｕに対応する部分に、ガイド穴２１０Ｕが穿設され、縦方向駆動枠２０１の下端部２０１Ｌに対応する部分に、ガイド穴２１０Ｌが穿設されている。
【００４６】
縦方向駆動枠２０１の上端部２０１Ｕの略中央および下端部２０１Ｌの略中央には、接眼レンズ群４０Ｌ、４０Ｒ側に突出する円筒状のガイドピン２０３、２０４がそれぞれ配設されている。ガイドピン２０３、２０４の外径は、ガイド穴２１０Ｕ及び２１０Ｌの横方向の幅よりもやや小さい。従って、ガイドピン２０３及び２０４は、それぞれガイド穴２１０Ｕ、２１０Ｌを挿通し、かつ縦方向に沿って移動可能である。ガイドピン２０４の先端は横断面形状が半月型となっており、その平面２０４Ａが横方向と平行でかつｙ１方向を向くよう、接眼レンズ群４０Ｌ、４０Ｒ側に突出する。
【００４７】
縦方向駆動枠２０１の上端部２０１Ｕにおいて補正レンズ２０Ｌの近傍には、コイルバネ２４０が配設されている。コイルバネ２４０の両端部はフック形状を有しており、一方の端部は、上端部２０１Ｕにおいて補正レンズ２０Ｌが配設された側の端部近傍に嵌合しているビス２４１に係合し、他方の端部は、駆動補助板２１０のガイド穴２１０Ｕの近傍に嵌合しているビス２４２に係合している。同様に、縦方向駆動枠２０１の下端部２０１Ｌにおいて補正レンズ２０Ｌの近傍には、コイルバネ２５０が配設されている。コイルバネ２５０の両端部はフック形状を有し、一方の端部は、下端部２０１Ｌにおいて補正レンズ２０Ｌが配設された側の端部近傍に嵌合しているビス２５１に係合し、他方の端部は、駆動補助板２１０のガイド穴２１０Ｌの近傍に嵌合しているビス２５２に係合している。
【００４８】
即ち、コイルバネ２４０、２５０は縦方向駆動枠２０１にｘ１方向の付勢力を常時与えている。従って、ガイドピン２０３はガイド穴２１０Ｕの補正レンズ２０Ｒ側の内壁面に常時当接し、ガイドピン２０４はガイド穴２１０Ｌの補正レンズ２０Ｒ側の内壁面に常時当接している。
【００４９】
ガイドピン２０３及びガイドピン２０４の重量、寸法は、縦方向駆動枠２０１、横方向駆動枠２０２と比較すると非常に小さい。従って、レンズ保持枠２００の重心は、横方向駆動枠２０２において、補正レンズ２０Ｌ、２０Ｒの光軸と平行な方向の幅の略中央に位置する。さらに、重心を補正レンズ２０Ｌ、２０Ｒの光軸と平行な方向に沿って駆動補助板２１０に投影した点（図示せず）は、ガイドピン２０３とガイド穴２１０Ｕとの当接部分とガイドピン２０４とガイド穴２１０Ｌとの当接部分とを結ぶ線上の、横方向駆動枠２０２の縦方向の中央近傍に位置する。
【００５０】
ガイド穴２１０Ｕ、２１０Ｌは、同一形状かつ同一寸法を有しており、レンズ保持枠２００の重心の投影点を通り横方向と平行な線に対して対称に位置決めされている。双眼鏡１の使用時において、ガイドピン２０３、２０４がそれぞれガイド穴２１０Ｕ、２１０Ｌの中央に位置した状態で、補正レンズ２０Ｌ、２０Ｒの光軸と双眼鏡１の他の光学系の光軸は一致する。
【００５１】
台座２２０は、Ｌ字型の板状部材であり、取付台１００の接眼側保持部１０２において対物側保持部１０１側の面上に、ビス２２１により固定されている（図２参照）。縦方向アクチュエータ２３０は、ステッピングモータ２３１とシャフト２３２とから成る。ステッピングモータ２３１はモータケース２３１ａとモータケース２３１ａ内に設けられたモータ２３１ｂとから成り、モータ２３１ｂは縦方向に沿った軸回りに正逆回転が可能である。モータケース２３１ａは、台座２２０に固定され、モータ２３１ｂは台座２２０に穿設された孔（図示せず）を挿通し、ｙ２方向に突出している。シャフト２３２はモータ２３１ｂの回転方向においてモータ２３１ｂと一体的に回転し、軸方向においてモータ２３１ｂに対して移動可能なように支持されている。シャフト２３２の外周面にはリードネジが形成されており、モータケース２３１ａの軸線受けに形成されている雌ネジ（図示せず）に螺合している。即ち、モータ２３１ｂの正逆回転に対して、シャフト２３２は回転しながら、その軸方向に沿って進退する。シャフト２３２の先端部にはボールが埋設されており、このボールが目標物を押圧する。シャフト２３２の先端は、上述のガイドピン２０４の先端の平面２０４Ａに当接している。
【００５２】
尚、図６及び７においては省略しているが、縦方向駆動枠２０１において、両側端部にはコイルバネが配設されている。コイルバネの一方の端部は縦方向駆動枠２０１に固定され、他方の端部は双眼鏡１の内壁面（図示せず）に固定されており、縦方向駆動枠２０１に常時、ｙ１方向の付勢力を与えている。従って、縦方向アクチュエータ２３０のシャフト２３２の先端は、常時、ガイドピン２０４の平面２０４Ａに当接している（図２、６参照）。
【００５３】
縦方向駆動枠２０１及び横方向駆動枠２０２の下端部近傍において対物レンズ１０Ｌ、１０Ｒ側には、横方向アクチュエータ２６０が配設されており、縦方向駆動枠２０１及び横方向駆動枠２０２の縦方向の中心に対して補正レンズ２０Ｌが配設された側に配設されている（図１、２、７参照）。横方向アクチュエータ２６０はステッピングモータ２６１とシャフト２６２とから成る。ステッピングモータ２６１はモータケース２６１ａとモータケース２６１ａ内に設けられたモータ２６１ｂとから成り、モータ２６１ｂは横方向に沿った軸回りに正逆回転が可能である。シャフト２６２はモータ２６１ｂの回転方向においてモータ２６１ｂと一体的に回転し、軸方向においてモータ２６１ｂに対して移動可能なように支持されている。シャフト２６２の外周面にはリードネジが形成されており、モータケース２６１ａの軸線受けに形成されている雌ネジ（図示せず）に螺合している。即ち、モータ２６１ｂの正逆回転に対して、シャフト２６２は回転しながら、その軸方向に沿って進退する。シャフト２６２の先端部にはボールが埋設されており、このボールが目標物を押圧する。
【００５４】
図７に示すように、縦方向駆動枠２０１の下端部２０１Ｌの近傍には、コイルバネ２９０が配設されている。コイルバネ２９０は他のコイルバネと同様、両端部がフック形状を有しており、一方の端部は縦方向駆動枠２０１に嵌合するビス２９１に係合し、他方の端部は横方向駆動枠２０２に固定された被押圧部材２９２に穿設された孔（図示せず）に係合している。即ち、コイルバネ２９０は、被押圧部材２９２に常時ｘ２方向の付勢力を与えている。従って、横方向アクチュエータ２６０のシャフト２６２の先端は、常時、被押圧部材２９２に当接している。
【００５５】
図２に示すように、ステッピングモータ２６１のモータケース２６１ａの一方の端部には略菱形のフランジ２６１ｃが一体的に形成されている。フランジ２６１ｃは、縦方向駆動枠２０１の下端部２０１Ｌに固定された平板状の固定部材２７０に、ビス２７０ａ、及びモータケース２６１ａを挟んでビス２７０ａの反対側に位置決めされたビス２７０ｂにより固定されている。即ち、モータケース２６１ａはフランジ２６１ｃ及び固定部材２７０を介して縦方向駆動枠２０１に固定されている。
【００５６】
図１に示すように、ステッピングモータ２３１のモータケース２３１ａの一方の端部には略菱形のフランジ２３１ｃが一体的に形成されており、フランジ２３１ｃは台座２２０にビス２３３ａ、モータケース２３１ａを挟んでビス２３３ａの反対側に位置決めされたビス２３３ｂにより保持されている。即ち、モータケース２３１ａはフランジ２３１ｃ、台座２２０を介して取付台１００に固定されている。
【００５７】
また、図１に示すように、取付台１００の連結部１０３において縦方向駆動枠２０１の両側端部近傍には薄板状の駆動枠支持部材３９０が配設されている。駆動枠支持部材３９０は、連結部１０３上に固定される固定部３９０Ａと、固定部に連続しかつ固定部に対して垂直な方向に延びる支持部３９０Ｂとを備える。支持部３９０Ｂには縦方向駆動枠２０１の光軸Ｏｌ、Ｏｒ方向に沿った厚みと略同じ厚みを有するリード板３９１が固定されている。リード板３９１の側端面は取付台１００の連結部１０３に直交するよう延びており、縦方向駆動枠２０１の両側端面が連結部１０３に直交する方向に沿って摺動可能なよう当接している。
【００５８】
モータ２３１ｂが正転すると、シャフト２３２は回転しながら不図示のコイルバネの付勢力に抗してｙ２方向に突出する。シャフト２３２のｙ２方向への動きは柱状ピン２０４を介して縦方向駆動枠２０１に伝達される。上述のように縦方向駆動枠２０１は両端部のリード板３９１に摺動可能に支持されているため、縦方向駆動枠２０１はモータ２３１ｂの正転に応じて、コイルバネのｙ１方向への付勢力に抗してｙ２方向へ駆動される（図６参照）。一方、モータ２３１ｂが逆転するとシャフト２３２は回転しながらｙ１方向に引き込まれ、コイルバネのｙ１方向への付勢力により縦方向駆動枠２０１はｙ１方向へ駆動される。
【００５９】
モータ２６１ｂが正転すると、シャフト２６２は回転しながらコイルバネ２９０の付勢力に抗してｘ１方向に突出する。シャフト２６２のｘ１方向への動きは被押圧部材２９２を介して横方向駆動枠２０２に伝達される。上述のように横方向駆動枠２０２は縦方向駆動枠２０１に摺動可能に支持されているため、横方向駆動枠２０２はモータ２６１ｂの正転に応じて、コイルバネ２９０のｘ２方向への付勢力に抗してｘ１方向へ駆動される（図７参照）。一方、モータ２６１ｂが逆転するとシャフト２６２は回転しながらｘ２方向に引き込まれ、コイルバネ２９０のｘ２方向への付勢力により横方向駆動枠２０２はｘ２方向へ駆動される。
【００６０】
双眼鏡１に設けられたスイッチボタン（図示せず）が使用者により押されると、像振れ補正装置２０による像振れ補正制御が行なわれる。像振れ補正制御の開始時、補正レンズ２０Ｌの光軸ＯＰ１が対物レンズ１０Ｌの光軸Ｏｌに一致し、補正レンズ２０Ｒの光軸ＯＰ２が対物レンズ１０Ｒの光軸Ｏｒに一致するよう、縦方向駆動枠２０１及び横方向駆動枠２０２が位置決めされる。
【００６１】
ジャイロセンサ等（不図示）により手振れ等に起因する左右の望遠光学系の光軸のぶれの角速度が検出され、制御装置（不図示）によりその角速度が積分処理され光軸の角度位置が算出され、上述の各レンズの光軸が一致した位置と積分処理により算出された光軸の角度位置との差分が算出される。さらに、その差分を解消するよう補正レンズ２０Ｌ、２０Ｒを移動すべく、縦方向アクチュエータ２３０及び横方向アクチュエータ２６０の駆動量、即ちモータ２３１ｂ、２６１ｂの回転ステップ数が制御装置により算出される。算出された回転ステップ数に基づいてモータ２３１ｂ、２６１ｂが駆動され、縦方向駆動枠２０１及び横方向駆動枠２０２がそれぞれ縦方向、横方向において移動し、望遠光学系の光軸のぶれが補正される。
【００６２】
尚、リード板３９１にはワッシャ３９２を介してビス３９３が固定されている（図１参照）。ワッシャ３９２の周縁部の一部がリード板３９１の側端部よりも縦方向駆動枠２０１側に突出するよう、ワッシャ３９２及びビス３９３は位置決めされている。また、光軸Ｏｌ、Ｏｒに直交する方向と平行な方向において、駆動枠支持部材３９０の支持部３９０Ｂの長さは、リード板３９１よりも長い。即ち、ワッシャ３９２の周縁部と支持部３９０Ｂの側辺部によって縦方向駆動枠２０１の側端部は挟持されている。従って、縦方向駆動枠２０１の光軸ＯＰ１、ＯＰ２と平行方向への移動が防止される。
【００６３】
また、支持部材２８０はビス２８１、ナット２８２、ワッシャ２８３を有している（図６、７参照）。ビス２８１のシャフトにはネジ山が切られており、シャフトは縦方向駆動枠２０１を挿通している。ビス２８１のヘッドの反対側の端部にはナット２８２が締め付けられている（図６参照）。ビス２８１のヘッドと縦方向駆動枠２０１の間、及びナット２８２と縦方向駆動枠２０１の間にそれぞれワッシャ２８３が配設されている。一対のワッシャ２８３は縦方向駆動枠２０１の光軸ＯＰ１、ＯＰ２に直交する両側面において横方向駆動枠２０２の近傍にそれぞれ位置決めされ、両側面をそれぞれ含む平面内において横方向駆動枠２０２へ向かって突出するよう配設される。即ち、横方向駆動枠２０２はその端部においてワッシャ２８３の周縁部の一部で挟持されており、光軸ＯＰ１、ＯＰ２と平行方向に移動しないよう保持されている。
【００６４】
さらに、駆動補助板２１０において穴２１０Ｕの下端部近傍には、シャフト停止板２１２がビスにより固定されている（図２参照）。シャフト停止板２１２は駆動支持板２１０と平行な固定部と、固定部と連続しかつ直交する方向に延出した停止部とを備えた、断面形状がＬ字型の板状部材である。シャフト停止板２１２は、その停止部が縦方向アクチュエータ２３０のシャフト２３２においてガイドピン２０４と当接する端部と反対側の端部と対向するよう配設される。また、シャフト停止板２１２の停止部は上述の像振れ補正制御におけるシャフト２３２の可動範囲を超えた位置に位置決めされている。従って、不測の外力が双眼鏡１に加わることによりシャフト２３２が必要以上に上方に突出することが防止され、シャフト２３２のリードネジとモータケース２３１ａの雌ネジとの螺合関係が保持される。
【００６５】
図１及び２に示すように、接眼ユニット３１Ｌ、３１Ｒの間には連結棹３００が配設される。連結棹３００は、保持具４２Ｌ、４２Ｒよりも像反転光学系３０Ｌ、３０Ｒ側に位置決めされている。図８は連結棹３００を接眼側から示す正面図である。連結棹３００は放射状に延びる柱状部材である３本のアーム３０１、３０２、３０３を備えており、接眼側から見た場合、全体として略Ｙ字型を有している。アーム３０１及び３０２の端部にはそれぞれ保持具４２Ｌ、４２Ｒを支持するための穴３０１Ａ、３０２Ａが穿設されている。穴３０１Ａの中心は、対物レンズ１０Ｌの光軸Ｏｌに一致し、穴３０２Ａの中心は対物レンズ１０Ｒの光軸Ｏｒに一致している。
【００６６】
保持具４２Ｌはその外周面に一体的に形成された柱状突起部４２１Ｌを備えており、柱状突起部４２１Ｌの端部には、アーム３０１の穴の径よりもわずかに大きい径を有する穴が穿設されている。同様に、保持具４２Ｒはその外周面に一体的に形成された柱状突起部４２１Ｒを備えており、柱状突起部４２１Ｒの端部には、アーム３０２の穴の径よりもわずかに大きい径を有する穴が穿設されている。
【００６７】
穴３０１Ａ及び柱状突起部４２１Ｌの穴にはピン３１１が挿通しており、ピン３１１のヘッドは柱状突起部４２１Ｌの接眼側の面に当接している。ピン３１１は、穴３０１Ａに固定され、柱状突起部４２１Ｌの穴には、柱状突起部４２１Ｌが穴の中心を回転中心として回転可能なよう嵌合している。同様に、穴３０２Ａ及び柱状突起部４２１Ｒの穴にはピン３１２が挿通しており、ピン３１２のヘッドは柱状突起部４２１Ｒの接眼側の面に当接している。ピン３１２は穴３０２Ａに固定され、柱状突起部４２１Ｒの穴には、柱状突起部４２１Ｒが穴の中心を回転中心として回転可能なよう嵌合している。
【００６８】
柱状突起部４２１Ｌの対物側の面にはアーム３０１が当接し、柱状突起部４２１Ｒの対物側の面にはアーム３０２が当接している（図１参照）。即ち、柱状突起部４２１Ｌはピン３１１のヘッドとアーム３０１に挟持されると共に、対物レンズ１０Ｌの光軸Ｏｌを回転中心として回転可能にアーム３０１に支持され、柱状突起部４２１Ｒはピン３１２のヘッドとアーム３０２に挟持されると共に、対物レンズ１０Ｒの光軸Ｏｒを回転中心として回転可能にアーム３０２に支持されている。
【００６９】
さらに、接眼ユニット３１Ｌのプリズム枠３２Ｌ、及び接眼ユニット３１Ｒのプリズム枠３２Ｒには、互いに対向する外周面に連動ギア３２１Ｌ、３２１Ｒが形成され、連動ギア３２１Ｌと３２１Ｒは互いに噛合している。
【００７０】
上述のように、左接眼ユニット３１Ｌの取付枠３５Ｌは取付台１００の取付穴１０２Ｌに回転可能に嵌合し、右接眼ユニット３１Ｒの取付枠３５Ｒは取付台１００の取付穴１０２Ｒに回転可能に嵌合し、一方、保持具４２Ｌは対物レンズ１０Ｌの光軸Ｏｌを回転中心として回転可能に支持され、保持具４２Ｒは対物レンズ１０Ｒの光軸Ｏｒを回転中心として回転可能に支持されている。即ち、左接眼ユニット３１Ｌ全体が対物レンズ１０Ｌの光軸を回転中心として回転可能であり、右接眼ユニット３１Ｒ全体が対物レンズ１０Ｒの光軸を回転中心として回転可能であり、両者の回転運動は連動して行われる。従って、左接眼ユニット３１Ｌと右接眼ユニット３１Ｒに、光軸回りに外力を加えることより、対物レンズ１０Ｌ、１０Ｒの位置は維持したまま、接眼レンズ群４０Ｌの光軸Ｏｌ’と接眼レンズ群４０Ｒの光軸Ｏｒ’の間の距離を調整することができ、使用者に合わせた眼幅調整が可能である。
【００７１】
例えば、図８は眼幅を最大にした状態を示しているが、この状態で左接眼ユニット３１Ｌが時計周りに回転し、右接眼ユニット３１Ｒが反時計周りに回転するよう外力を加えると、左接眼ユニット３１Ｌ、右接眼ユニット３１Ｒはそれぞれ対物レンズ１０Ｌの光軸Ｏｌ、対物レンズ１０Ｒの光軸Ｏｒを回転中心として連動して回転する。その結果、図９に示すように、接眼レンズ群４０Ｌの光軸と接眼レンズ群４０Ｒの光軸の間の距離が狭められる。
【００７２】
連結棹３００のアーム３０３の端部は中心軸線が光軸Ｏｌ’、Ｏｒ’に沿った方向に延びる円筒形を有しており（図１、２参照）、その内部には穴３０３Ａが穿設されている。穴３０３Ａの内壁面には雌ネジが形成されており、転輪軸５１が螺合している。また、連結棹３００において放射状に延びるアーム３０１〜３０３を接続する中心部３０４には穴３０４Ａが穿設されている。穴３０４Ａにはガイド棒６０が摺動可能に挿通している。
【００７３】
使用者が転輪５０を回転させると、転輪５０の回転運動に伴い転輪軸５１が中心軸線を回転中心として回転する。上述のように、転輪軸５１は軸心方向において移動しないよう取付台１００の支持穴１０２Ａ及び補強板７０に固定され、かつ転輪軸５１の回転運動の連結棹３００への伝達はガイド棒６０が連結棹３００の穴３０４Ａを挿通していることにより防止される。従って、転輪軸５１の回転運動に伴い連結棹３００は光軸Ｏｌ’、Ｏｒ’に沿って移動する。例えば、接眼レンズ群４０Ｌ、４０Ｒの側から見て転輪を時計回りに回転させると連結棹３００は光軸Ｏｌ’、Ｏｒ’に沿って対物レンズ１０Ｌ、１０Ｒに近づく方向へ移動し、転輪を反時計回りに回転させると連結棹３００は光軸Ｏｌ’、Ｏｒ’に沿って対物レンズ１０Ｌ、１０Ｒから離れる方向へ移動する。
【００７４】
上述のように、保持具４２Ｌの柱状突起部４２１Ｌはピン３１１のヘッドと連結棹３００のアーム３０１に挟持され、保持具４２Ｒの柱状突起部４２１Ｒはピン３１２のヘッドと連結棹３００のアーム３０２に挟持されている。従って、連結棹３００の光軸Ｏｌ’、Ｏｒ’に沿った移動に伴い、接眼レンズ群４０Ｌ、４０Ｒも移動する。従って、使用者が転輪５０を回転操作することにより接眼レンズ群４０Ｌ、４０Ｒが光軸Ｏｌ’、Ｏｒ’に沿って移動し、合焦動作が行われる。
【００７５】
転輪軸５１と平行なガイド棒６０が取付台１００の支持穴１０２Ｂ及び補強板７０に支持されている。従って、連結棹３００の光軸Ｏｌ’、Ｏｒ’に沿った移動が安定してスムーズに行なわれる。
【００７６】
図１０は、本発明に係る第２実施形態が適用される連結棹を示す正面図であり、図１１は第２実施形態の取付台を示す斜視図である。尚、図１０において第１実施形態と同様の部材には同一の符号を付してある。
連結棹５００は、柱状部材である３本のアーム５０１（第１の連結部）、５０２（第２の連結部）、５０３（第３の連結部）を備えている。連結棹５００は、第１実施形態の連結棹３００と同様、保持具４２Ｌ、４２Ｒよりも像反転光学系側に位置決めされる。アーム５０１及び５０２の端部にはそれぞれ保持具４２Ｌ、４２Ｒを支持するための穴５０１Ａ、５０２Ａが穿設されている。穴５０１Ａの中心は、対物レンズ１０Ｌの光軸Ｏｌに一致し、穴５０２Ａの中心は対物レンズ１０Ｒの光軸Ｏｒに一致している。
【００７７】
連結棹５００のアーム５０３の端部は第１実施形態の連結棹３００のアーム３０３と同様、中心軸線が光軸Ｏｌ’、Ｏｒ’に沿った方向に延びる円筒形を有しており、その内部には穴５０３Ａが穿設されている。穴５０３Ａの内壁面には雌ネジが形成されており、転輪軸５１が螺合している。また、連結棹５００においてアーム５０１〜５０３を接続する接続部５０４には穴５０４Ａが穿設されており、穴５０４Ａにはガイド棒６０が摺動可能に挿通している。ガイド棒の対物レンズ１０Ｌ、１０Ｒ側の端部は、図１１に示す取付台１１０の接眼側支持部１０２に穿設された支持穴１１０Ｂに固定される。尚、取付台１１０において第１実施形態の取付台１００と同様の構成を有する部材、取付穴等には、図３と同一の符号を付してある。
【００７８】
連結棹５００は、光軸Ｏｌ’、Ｏｒ’に直交する平面で切断した断面形状が、穴５０１Ａの中心と穴５０２Ａの中心を結ぶ直線を挟んで、穴５０３Ａと穴５０４Ａが反対側に位置決めされている。また、穴５０１Ａの中心と穴５０２Ａの中心を結ぶ直線と、アーム５０３の長手方向に沿った中心軸線が直交するよう成型されている。換言すれば、アーム５０１と５０２の長手方向の長さは互いに等しく、かつアーム５０３の長手方向の長さよりも短く、光軸Ｏｌ’、Ｏｒ’に直交する平面で切断した連結棹５００の断面形状は、略矢印型を有している。
【００７９】
柱状突起部４２１Ｌはピン３１１とアーム５０１に挟持されると共に、対物レンズ１０Ｌの光軸Ｏｌを回転中心として回転可能にアーム５０１に支持され、柱状突起部４２１Ｒはピン３１２とアーム５０２に挟持されると共に、対物レンズ１０Ｒの光軸Ｏｒを回転中心として回転可能にアーム５０２に支持されている。
【００８０】
以上の連結棹５００及び取付台１１０が第１実施形態の双眼鏡１と同様の構成を有する双眼鏡に配設される。
【００８１】
第１実施形態と同様、左接眼ユニット３１Ｌの取付枠３５Ｌは取付台１１０の取付穴１０２Ｌに回転可能に嵌合し、右接眼ユニット３１Ｒの取付枠３５Ｒは取付台１１０の取付穴１０２Ｒに回転可能に嵌合し、保持具４２Ｌは対物レンズ１０Ｌの光軸Ｏｌを回転中心として回転可能に支持され、保持具４２Ｒは対物レンズ１０Ｒの光軸Ｏｒを回転中心として回転可能に支持されている。従って、図１０に示す状態で左接眼ユニット３１Ｌが時計周りに回転し、右接眼ユニット３１Ｒが反時計周りに回転するよう外力を加えると、左接眼ユニット３１Ｌ、右接眼ユニット３１Ｒはそれぞれ対物レンズ１０Ｌの光軸Ｏｌ、対物レンズ１０Ｒの光軸Ｏｒを回転中心として連動して回転する。その結果、図１２に示すように、接眼レンズ４０Ｌの光軸と接眼レンズ４０Ｒの光軸の間の距離が狭められる。
【００８２】
また、取付台１１０の支持穴１０２Ａにおける転輪軸５１の支持構造、及び支持穴１１０Ｂにおけるガイド棒６０の支持構造は第１実施形態と同様である。従って、使用者が転輪５０を回転させることにより連結棹５００は光軸Ｏｌ’、Ｏｒ’に沿って移動し、合焦動作が行われる。
【００８３】
以上のように、第１及び第２実施形態によれば、取付台１００の対物側支持部１０１と接眼側支持部１０２は平行となるよう一体的に形成されている。従って、上述のように、対物側支持部１０１の取付穴１０１Ｌと接眼側支持部１０２の取付穴１０２Ｌ、及び対物側支持部１０１の取付穴１０１Ｒと接眼側支持部１０２の取付穴１０２Ｒをそれぞれ同軸的に穿設するのは容易である。さらに、支持穴１０２Ａ及び支持穴１０２Ｂ、１１０Ｂは接眼側支持部１０２に穿設されている。従って、転輪軸５１及びガイド棒６０の端部をそれぞれ支持穴１０２Ａ、１０２Ｂ（１１０Ｂ）で支持することにより、転輪軸５１及びガイド棒６０のそれぞれの軸心が上述の各取付穴の軸心方向と平行となるよう配設するのは容易である。
【００８４】
また、第１及び第２実施形態において、二軸連動式である双眼鏡１の焦点調節機構は接眼レンズ群４０Ｌ、４０Ｒ側に設けられており、対物レンズ１０Ｌ、１０Ｒの近傍には十分に広い空間が確保されている。その結果、補正レンズ２０Ｌ、２０Ｒとその駆動機構を備える像振れ補正装置２０を対物レンズ１０Ｌ、１０Ｒの近傍に確保された空間内に配設することができ、像振れ補正機能を付加しても双眼鏡１全体の小型化が図られる。さらに、焦点調節機構が接眼レンズ群４０Ｌ、４０Ｒ側に設けられており、対物レンズ１０Ｌ、１０Ｒの周囲に部材が集中していないため、双眼鏡筐体の中央部に近い位置に双眼鏡１の重心が位置し重量バランスが向上する。
【００８５】
【発明の効果】
以上のように本発明によれば、二軸連動式双眼鏡の合焦装置であって、様々な機種に応用可能な合焦装置が得られる。
【図面の簡単な説明】
【図１】本発明の第１実施形態が適用される双眼鏡を一対の光軸を含む面で切断した一部断面図である。
【図２】第１実施形態の双眼鏡の中央部分を、一対の光軸を含む面に直交する面で切断した一部断面図である。
【図３】取付台の斜視図である。
【図４】取付台の正面図である。
【図５】取付台の製造における一工程を示す図である。
【図６】取付台に配設される像振れ補正装置を接眼レンズ側から示す正面図である。
【図７】取付台に配設される像振れ補正装置を対物レンズ側から示す正面図である。
【図８】接眼レンズ眼幅を最大に広げた状態における連結棹を示す正面図である。
【図９】接眼レンズ眼幅を最小に狭めた状態における連結棹を示す正面図である。
【図１０】本発明の第２実施形態が適用される連結棹を接眼レンズ眼幅を最大に広げた状態において示す正面図である。
【図１１】第２実施形態の取付台を示す斜視図である。
【図１２】第２実施形態の連結棹を接眼レンズ眼幅を最小に狭めた状態において示す正面図である。
【符号の説明】
１０Ｌ、１０Ｒ  対物レンズ
２０Ｌ、２０Ｒ  補正レンズ
３０Ｌ、３０Ｒ  像反転光学系
４０Ｌ、４０Ｒ  接眼レンズ群
１１Ｌ、１１Ｒ  対物レンズ鏡筒
２０  像振れ補正装置
３１Ｌ、３１Ｒ  接眼ユニット
３２Ｌ、３２Ｒ  プリズム枠
３３Ｌ、３３Ｒ  接眼レンズ枠
３５Ｌ、３５Ｒ  接眼鏡筒支持枠
４１Ｌ、４１Ｒ  接眼レンズ鏡筒
４２Ｌ、４２Ｒ  保持具
５０  転輪
５１  転輪軸
６０  ガイド棒
７０  補強板
１００、１１０  取付台
２００  補正レンズ保持枠
３００、５００  連結棹
【図１】
0003595469.tif 000002
【図２】
0003595469.tif 000003
【図３】
0003595469.tif 000004
【図４】
0003595469.tif 000005
【図５】
0003595469.tif 000006
【図６】
0003595469.tif 000007
【図７】
0003595469.tif 000008
【図８】
0003595469.tif 000009
【図９】
0003595469.tif 000010
【図１０】
0003595469.tif 000011
【図１１】
0003595469.tif 000012
【図１２】
0003595469.tif 000013